(57)【要約】      （修正有）【課題】背筋伸張器具において、ストレッチをしないときにも邪魔にならず、さらに、有効に活用できるようにすること課題とする。【解決手段】背筋伸張器具兼用椅子として、上面が略平らでな柱体から形成される背筋伸張器具である第１ストレッチャー１０と、上面が略平らな、前記第１ストレッチャー１０と同じ高さを有する柱体から形成される、前記第１ストレッチャー１０の側面の一部に面接触できる側面を有する背筋伸張器具である第２ストレッチャー２０と、前記第１ストレッチャー１０と前記第２ストレッチャー２０の互いに面接触できる側面同士を接触した状態に保持する締結手段とを設け、第１ストレッチャー１０と第２ストレッチャー２０とを締結してできる柱体が立った状態で下面が水平面上で３点以上で接触できるように構成する。【選択図】図２
2006255202.tif 000002
【特許請求の範囲】
【請求項１】
上面が略平らら柱体から形成される背筋伸張器具である第１ストレッチャーと、
上面が略平らな、前記第１ストレッチャーと同じ高さを有する柱体から形成される、前記第１ストレッチャーの側面の一部に面接触できる側面を有する背筋伸張器具である第２ストレッチャーと、
前記第１ストレッチャーと前記第２ストレッチャーの互いに面接触できる側面同士を接触した状態に保持する締結手段とを有し、
前記第１ストレッチャーと前記第２ストレッチャーとを前記締結手段で接触した状態に保持することにより形成される柱体の下面がこの柱体が立った状態で水平面上に３点以上で接触可能である
背筋伸張器具兼用椅子。
【請求項２】
前記第１ストレッチャーと前記第２ストレッチャーは同一の形状および構造を有する請求項１に記載の背筋伸張器具兼用椅子。
【請求項３】
前記前記第１ストレッチャーと前記第２ストレッチャーの互いに面接触できる側面同士が平らである請求項１又は２に記載の背筋伸張器具兼用椅子。
【請求項４】
前記背筋伸張器具用兼用椅子において、前記第１ストレッチャーと第２ストレッチャーの上面が平らであることに代えて、上面に扁平なクッションが着脱可能に固定される請求項１から３のいずれか１項に記載の背筋伸張器具兼用椅子。
【請求項５】
前記クッションの前記第1ストレッチャーおよび第２ストレッチャーに向う面には硬い材質により複数の凸部が形成されている請求項４に記載の背筋伸張器具兼用椅子。
【請求項６】
前記前記背筋伸張器具用兼用椅子において、前記第１ストレッチャーと前記第２ストレッチャーとを前記締結手段で接触した状態に保持することにより形成される柱体の下面がこの柱体が立った状態で水平面上に３点以上で接触可能であることに代えて、底面にこの柱体を立てるための扁平な台座が着脱可能に固定される請求項１から５のいずれか１項に記載の背筋伸張器具兼用椅子。
【請求項７】
前記台座の前記第1ストレッチャーおよび第２ストレッチャーに向う面には硬い材質により複数の凸部が形成されている請求項６に記載の背筋伸張器具兼用椅子。
【請求項８】
前記クッションと前記台座は同一の形状および構造を有するものである請求項６又は７に記載の背筋伸張器具兼用椅子。
【請求項９】
前記台座には側面に前記第１ストレッチャー及び第２ストレッチャーの上面を越える高さに至る背もたれ板が固定される請求項６から８のいずれか１項に記載の背筋伸張器具兼用椅子。
【請求項１０】
前記第１ストレッチャーと第２ストレッチャーの少なくとも一つは、分割可能であり、分割されたものがそれぞれ背筋伸張器具として機能する請求項１から９のいずれか１項に記載の背筋伸張器具兼用椅子。
【発明の詳細な説明】
【技術分野】
【０００１】
本発明は背中から腰にかけてストレッチをする背筋伸張器具に関し、特に、椅子にもなる背筋伸張器具に関する。
【背景技術】
【０００２】
従来から、背筋や腰椎を伸ばすために、例えば特許文献１に示すような上面にアーチ状の曲面を有する器具を用い、このアーチ状の曲面上に仰向けに寝転がることで背筋等を伸ばすことが行われてきた。
【特許文献１】特開２００３−２３５９２２公報
【発明の開示】
【発明が解決しようとする課題】
【０００３】
しかし、このような器具は日常生活においてそれほど長い時間使用するものではなく、使用しないときには、そのまま置いておくと邪魔になり、これを収納すると使用に際して再び取り出すのが面倒であり、結局、収納されたままの状態になることも多い。
以上のことを鑑みて、本発明は、背筋伸張器具において、ストレッチをしないときにも邪魔にならず、さらに、有効に活用できるようにすること課題とする。
【課題を解決するための手段】
【０００４】
上記課題を解決するために、本発明は次のような構成を有する。
請求項１に記載の発明は、上面が略平らら柱体から形成される背筋伸張器具である第１ストレッチャーと、上面が略平らな、前記第１ストレッチャーと同じ高さを有する柱体から形成される、前記第１ストレッチャーの側面の一部に面接触できる側面を有する背筋伸張器具である第２ストレッチャーと、前記第１ストレッチャーと前記第２ストレッチャーの互いに面接触できる側面同士を接触した状態に保持する締結手段とを有する背筋伸張器具兼用椅子であり、前記第１ストレッチャーと前記第２ストレッチャーとを前記締結手段で接触した状態に保持することにより形成される柱体の下面がこの柱体が立った状態で水平面上に３点以上で接触可能に形成されるものである。
請求項２に記載の発明は、前記背筋伸張器具兼用椅子において、前記第１ストレッチャーと前記第２ストレッチャーは同一の形状および構造を有するものである。
請求項３に記載の発明は、前記背筋伸張器具兼用椅子において、前記前記第１ストレッチャーと前記第２ストレッチャーの互いに面接触できる側面同士が平らなものである。
請求項４に記載の発明は、前記背筋伸張器具兼用椅子において、前記第１ストレッチャーと第２ストレッチャーの上面が平らであることに代えて、上面に扁平なクッションが着脱可能に固定されるものである。なお、「代えて」とあるが、前記第１ストレッチャーと第２ストレッチャーの上面が平らである必要がないことを意味し、平らであることを妨げるものではない。
請求項５に記載の発明は、請求項４に記載の背筋伸張器具兼用椅子において、前記クッションの前記第1ストレッチャーおよび第２ストレッチャーに向う面には硬い材質により複数の凸部が形成されているものである。
【０００５】
請求項６に記載の発明は、前記前記背筋伸張器具用兼用椅子において、前記第１ストレッチャーと前記第２ストレッチャーとを前記締結手段で接触した状態に保持することにより形成される柱体の下面がこの柱体が立った状態で水平面上に３点以上で接触可能であることに代えて、底面にこの柱体を立てるための扁平な台座が着脱可能に固定されるものである。なお、「代えて」とあるが、前記前記背筋伸張器具用兼用椅子において、前記第１ストレッチャーと前記第２ストレッチャーとを前記締結手段で接触した状態に保持することにより形成される柱体の下面がこの柱体が立った状態で水平面上に３点以上で接触可能である必要がないことを意味し、水平面上に３点以上で接触可能であることを妨げるものではない。
請求項７に記載の発明は、請求項６に記載の背筋伸張器具兼用椅子において、前記台座の前記第1ストレッチャーおよび第２ストレッチャーに向う面には硬い材質により複数の凸部が形成されているものである。
請求項８に記載の発明は、請求項６又は７に記載の背筋伸張器具兼用椅子において、  前記クッションと前記台座は同一の形状および構造を有するものである。
請求項９に記載の発明は、請求項６から８のいずれかに記載の背筋伸張器具兼用椅子において、前記台座には側面に前記第１ストレッチャー及び第２ストレッチャーの上面を越える高さに至る背もたれ板が固定されるものである。
請求項１０に記載の発明は、前記背筋伸張器具兼用椅子において、前記第１ストレッチャーと第２ストレッチャーの少なくとも一つは、分割可能であり、分割されたものがそれぞれ背筋伸張器具として機能するものである。
【発明の効果】
【０００６】
請求項１に記載の発明は、上面が略平らな柱体から形成される第１ストレッチャーと、上面が略平らな、前記第１ストレッチャーと同じ高さを有する柱体から形成される第２ストレッチャーとを、締結手段により互いに面接触できる側面同士を接触した状態に保持することで下面が３点以上で床面に接触することで自立可能な、上面が略平らな椅子が形成されるので、未使用時には椅子として使用することで邪魔にならず有効に使用することができるとともに、背筋等を伸ばす際には、締結手段の締結を解いて、第１ストレッチャー及び第２ストレッチャーを分離し、それぞれを背筋伸張器具として使用することができる。
請求項２に記載の発明は、前記第１ストレッチャーと前記第２ストレッチャーは同一の形状および構造を有するので、製造コストを安くすることができるとともに、二人で同時に同じ背筋伸張器具を使用することができる。
請求項３に記載の発明は、前記前記第１ストレッチャーと前記第２ストレッチャーの互いに面接触できる側面同士が平らなものであるので、背筋伸張器具として使用する際に安定させることができる。
請求項４に記載の発明は、上面に扁平なクッションが着脱可能に固定されるので、椅子としての座り心地を高めることができる。
請求項５に記載の発明は、前記クッションの前記第1ストレッチャーおよび第２ストレッチャーに向う面には硬い材質により複数の凸部が形成されているので、クッションをはずしてこの凸部が形成された面を上向きに床に置き足で踏むことで足のつぼを刺激する器具として使用することができる。
【０００７】
請求項６に記載の発明は、底面に椅子を立てるための扁平な台座が着脱可能に固定されるので、椅子としての安定性を高めることができる。
請求項７に記載の発明は、前記台座の前記第1ストレッチャーおよび第２ストレッチャーに向う面には硬い材質により複数の凸部が形成されているので、台座をはずしてこの凸部が形成された面を上向きに床に置き足で踏むことで足のつぼを刺激する器具として使用することができる。
請求項８に記載の発明は、  前記クッションと前記台座は同一の形状および構造を有するので、製造コストを安くすることができる。
請求項９に記載の発明は、前記台座には側面に前記第１ストレッチャー及び第２ストレッチャーの上面を越える高さに至る背もたれ板が固定されるので、椅子として使用する際に背もたれ板により背中をもたれさせることができるので、より楽に座ることができる。
請求項１０に記載の発明は、前記第１ストレッチャーと第２ストレッチャーの少なくとも一つは、分割でき、分割されたものがそれぞれ背筋伸張器具として機能するので、背筋伸張器具としてのバリエーションが増えることになり、より多様なストレッチが可能になる。
【発明を実施するための最良の形態】
【０００８】
以下、本発明の実施形態について図面を参照しながら説明する。
（実施形態１）
図１に第１の実施の形態に係る背筋伸張器具兼用椅子Ｘの斜視図を示し、図２に背筋伸張器具Ｘの分解斜視図を示し、図３に図１におけるＡ−Ａ断面図を示す。背筋伸張器具兼用椅子Ｘは、第１ストレッチャー１０、第２ストレッチャー２０、クッション３０、台座４０、カバー５０とから構成される。
第１ストレッチャー１０は、断面形状がかまぼこ型の柱体であり、上面および下面は略平らに形成される。第１ストレッチャー１０は、大ストレッチャー１１と小ストレッチャー１２とに分割することができる。
小ストレッチャー１２は、第１ストレッチャー１０の断面形状と相似形の面積が約４分の１のかまぼこ型の断面形状をした第１ストレッチャーと同じ高さの柱体である。小ストレッチャー１２は内部に設けられた木材により形成される心材部１２ｂと、心材部１２ｂの周囲を取り巻く発泡ポリウレタンとそれを覆う布製のカバーとにより形成される緩衝部１２ａとから構成される。小ストレッチャー１２の側面の平面部分には面ファスナーの係合部１２ａａが設けられる。また、小ストレッチャー１２の上面には、クッション３０の後述する突起に係合するための凹部１２ａｄが設けられ、小ストレッチャー１２の下面には台座４０の後述する突起に係合する凹部１２ａｄと同じ形状の図示しない凹部が設けられている。
大ストレッチャー１１は第１ストレッチャー１０の平面部分の幅方向の真ん中部分から小ストレッチャー１２を取り除いた形状をしている。大ストレッチャー１１も内部に設けられた木材により形成される心材部１１ｂと、心材部１１ｂの周囲を取り巻く発泡ポリウレタンとそれを覆う布製のカバーとにより形成される緩衝部１１ａとから構成される。この緩衝部１１ａの側面の凸面となる曲面部分には合成樹脂で形成される突起１１ａｂが複数配列され、大ストレッチャー１１の側面の平面部分には面ファスナーの係合部１１ａａが設けられる。また、大ストレッチャー１１の上面には、クッション３０の後述する突起に係合するための凹部１１ａｄが設けられ、大ストレッチャー１１の下面には台座４０に係合する凹部１１ａｄと同じ形状の図示しない凹部が設けられている。
【０００９】
第２ストレッチャー２０は、断面形状がかまぼこ型の第１ストレッチャーと同じ高さの柱体であり、上面および下面は略平らに形成される。第２ストレッチャー２０は、上部短ストレッチャー２１と下部短ストレッチャー２２とに分割することができる。
上部短ストレッチャー２１は、第２ストレッチャー２０と同じ断面形状をした第２ストレッチャーの半分の高さの柱体である。上部短ストレッチャー２１は内部に設けられた木材により形成される心材部２１ｂと、心材２１部ｂの周囲を取り巻く発泡ポリウレタンとそれを覆う布製のカバーとにより形成される緩衝部２１ａとから構成される。この緩衝部２１ａの側面の曲面部分には合成樹脂で形成される突起２１ａｂが複数配列されている。上部短ストレッチャー２１の側面の平面部分には図示しない面ファスナーの被係合部が設けられ、上部短ストレッチャー２１の上面には、クッション３０に係合するための凹部２１ａｄが設けられ、上部短ストレッチャー２１の下面には図示しない面ファスナーの係合部が設けられている。
下部短ストトレッチャー２２は上部短ストレッチャー２１と略同じ形状をしている。上部短ストレッチャー２２も内部に設けられた木材により形成される心材部２２ｂと、心材部２２ｂの周囲を取り巻く発泡ポリウレタンとそれを覆う布製のカバーとにより形成される緩衝部２２ａとから構成される。下部短ストレッチャー２２の側面の平面部分には図示しない面ファスナーの被係合部が設けられ、下部短ストレッチャー２２の下面には、台座４０に係合するための上部短ストレッチャー２１の凹部２１ａｄと同じ形状の図示しない凹部が設けられ、下部短ストレッチャー２２の上面には面ファスナーの被係合部２２ａａが設けられている。
【００１０】
台座４０は、第１ストレッチャー１０と第２ストレッチャー２０の側面の平面部分同士をあわせた際にできる下面の形状と略同じ底面および上面形状を有する扁平な円筒体で、内部に設けられた木材により形成される心材部４０ｂと、心材部４０ｂの周囲を取り巻く発泡ポリウレタンとそれを覆う布製のカバーとにより形成される緩衝部４０ａとから構成される。この緩衝部４０ａの上面には合成樹脂で形成される突起４０ａｂが複数配列されている。
クッション３０は台座４０を上下逆さまにした形状と構造を有する扁平な円筒体で、内部に設けられた木材により形成される心材部３０ｂと、心材部３０ｂの周囲を取り巻く発泡ポリウレタンとそれを覆う布製のカバーとにより形成される緩衝部３０ａとから構成される。この緩衝部３０ａの下面には合成樹脂で形成される図示しない突起が複数配列されている。
カバー５０は、第１ストレッチャー１０と第２ストレッチャー２０の側面の平面部分同士を合わせ、上面にクッション３０を係合させ、下面に台座４０を係合させてできる円筒体の外周面と同じ形状をもつ内周面をもつ布で形成される筒体である。
なお、面ファスナー、カバー５０、台座４０、クッション５０のいずれもが、前記第１ストレッチャー１０と前記第２ストレッチャー２０の互いに面接触できる側面同士を接触した状態に保持する締結手段として機能している。
【００１１】
このような構成を有する背筋伸張器具兼用椅子Ｘは、背筋伸張器具として使用しない場合には、大ストレッチャー１１と小ストレッチャー１２とを嵌め合わせることで第１ストレッチャー１０を形成し、また、上部短ストレッチャー２１の下面と下部短ストレッチャー２２の上面を面ファスナーにより固定することで第２ストレッチャーを形成し、形成された第１ストレッチャーと第２ストレッチャー２０の側面の平面部分同士を面ファスナーで係合し、さらに、上面の凹部１１ｄにクッション３０の突起を係合させ、下面の凹部に台座４０の突起４０aを係合させてることにより円筒体を形成し、この円筒体の外側にカバー５０を被せることにより図１に示すような椅子を形成することができる。
そして、背筋伸張器具として使用する際には、カバー５０をはずして各部を分離し、大ストレッチャー１１、小ストレッチャー１２、上部短ストレッチャー２１、下部短ストレッチャー２２は図４（ｄ）（ｂ）（ｃ）（ｄ）に示すように側面の平面部を床面に置いて、この上に仰向けに寝ることにより背筋等を伸ばす。また、クッション３０、台座４０は図４（ｅ）に示すように突起部分を上にして床に置き、この突起を足で踏むことで足のつぼを刺激することができる。
【００１２】
（実施形態２）
図５に第２の実施形態に係る背筋伸張器具兼用椅子Ｙの分解斜視図を示す。この背筋伸張器具兼用椅子Ｙは、第１ストレッチャー６０、第２ストレッチャー７０、クッション８０、台座９０とから構成される。
第１ストレッチャー６０は、断面形状がかまぼこ型の柱体であり、上面および下面は略平らに形成される。第１ストレッチャー６０は内部に設けられた木材により形成される心材部と、心材部の周囲を取り巻く発泡ポリウレタンとそれを覆う布製のカバーとにより形成される緩衝部とから構成される。第１ストレッチャー６０の側面の平面部分、上面、下面には面ファスナー６０ａａが設けられている。
第２ストレッチャー７０は、第１ストレッチャーと同じ形状、構造を有する。第２ストレッチャー７０の側面の平面部分には面ファスナーの係合部分６０ａａに係合する図示しない被係合部分が設けられており、また第２ストレッチャーの上面、下面には面ファスナーの係合部分７０ａａが設けられている。
【００１３】
台座９０は、第１ストレッチャー６０と第２ストレッチャー７０の側面の平面部分同士をあわせた際にできる下面の形状と略同じ底面および上面形状を有する扁平な円筒体で、内部に設けられた木材により形成される心材部と、心材部の周囲を取り巻く発泡ポリウレタンとそれを覆う布製のカバーとにより形成される緩衝部とから構成される。また、台座９０の側面には前記第１ストレッチャー６０及び第２ストレッチャー７０の上面にクッション８０を載せた高さを越える高さを持つ木製の背もたれ板９０ａが固定される。また、台座９０の下面には木製の円筒状の脚９０ｂが４つ固定され、台座９０の上面には面ファスナーの被係合部９０ｃが設けられる。
クッション８０は第１ストレッチャー６０と第２ストレッチャー７０の側面の平面部分同士をあわせた際にできる下面の形状と略同じ底面および上面形状を有する扁平な円筒体で、内部に設けられた木材により形成される心材部と、心材の周囲を取り巻く発泡ポリウレタンとそれを覆う布製のカバーとにより形成される緩衝部とから構成される。クッション８０の下面には面ファスナーの被係合部９０ｃが設けられる。
なお、面ファスナー、台座４０、クッション５０のいずれもが、前記第１ストレッチャー６０と前記第２ストレッチャー７０の互いに面接触できる側面同士を接触した状態に保持する締結手段として機能している。
【００１４】
背筋伸張器具兼用椅子Ｙはこのような構成により、背筋伸張器具として使用しない場合は、第１ストレッチャー６０と第２ストレッチャー７０の側面の平面部分同士を面ファスナーで係合して円筒体を形成し、さらに、この円筒体の上面とクッション３０、およびこの円筒体の下面と台座４０とを面ファスナーにより係合させることにより図５の台座９０と想像線で示すような椅子を構成することができる。この椅子は背もたれ板９０ａが設けられているので使用者はもたれることで、より楽に座ることができる。そして、背筋伸張器具として使用する場合は、分解して第１ストレッチャー６０および第２ストレッチャー７０の側面の平面部を床においてその上に寝ることで背筋等を伸ばすことができる。
【００１５】
なお、本発明に係る背筋伸張器具兼用椅子の材質は、使用に支障がなければ種々のものを使用することができ、外表面をトルマリン繊維を用いたり、内部に低反発素材を用いたりすることもできる。また、第１ストレッチャー、第２ストレッチャーの形状も背筋等の伸張に供することができれば断面形状がかまぼこ状である必要はなく、種々の形態をとることができる。又、分離できる場合においても分離の仕方は任意である。さらに、突起を設けることも任意であり、突起の数や配列方法、材質なども必要に応じて適宜定められる。また、ストレッチャーの突起や外表面に磁石を用いると血行促進などに効果がある。クッションおよび台座に関しても機能を果たすことができれば形状、構造は任意のものを採用することができる。さらに、台座およびクッションはなくても椅子としての機能は実現することが可能である。
【図面の簡単な説明】
【００１６】
【図１】実施形態１に係る背筋伸張器具兼用椅子の斜視図である。
【図２】実施形態１に係る背筋伸張器具兼用椅子の分解斜視図である。
【図３】図１におけるＡ−Ａ断面図である。
【図４】（ａ）から（ｄ）は実施形態１に係る各ストレッチャーの使用状態を示す斜視図であり、（ｅ）は実施形態１に係るクッションおよび台座の足つぼ刺激器具としての使用状態を示す斜視図である。
【図５】実施形態２に係る背筋伸張器具兼用椅子の分解斜視図である。
【符号の説明】
【００１７】
Ｘ、Ｙ  背筋等伸張器具兼用椅子
１０、６０  第１ストレッチャー
２０、７０  第２ストレッチャー
３０、８０  クッション
４０、９０  台座
３０ａ、４０ａ  突起
９０ａ      背もたれ板
【図１】
2006255202.tif 000003
【図２】
2006255202.tif 000004
【図３】
2006255202.tif 000005
【図４】
2006255202.tif 000006
【図５】
2006255202.tif 000007